(57)【要約】【課題】前後左右の傾きを同一の表示面上で目視により確認でき、前後左右で垂直度が得られたことを、表示面を一瞥して直ちに理解できる垂直度測定器を提案すること。【解決手段】垂直度測定器１の表示面６には垂直目盛線７、水平目盛線８が形成されている。マグネット４ａ、４ｂによって測定対象の杭３０に垂直度測定器１を取り付ける。垂直度測定器１の表示面６の第１支軸１３から吊り下げられている第１指針１１が垂直目盛線７に一致するか否かにより杭３０の左右方向の傾きの有無を確認できる。表示面６の第２支軸１４から吊り下げられている第２指針１２が垂直目盛線７および水平目盛線８に一致するか否かにより、杭３０の前後方向の傾きの有無を確認できる。【選択図】図２
2014215054.tif 000002
【特許請求の範囲】
【請求項１】
ケース（２）と、
前記ケース（２）に取り付けた表示板（３）と、
前記表示板（３）の表示面（６）に形成され、前記表示面（６）の上下方向に延びる垂直目盛線（７）、および、前記垂直目盛線（７）に直交する前記表示面（６）の左右方向に延びる水平目盛線（８）と、
前記表示面（６）上において、前記表示面（６）に垂直な第１支軸（１３）を中心として前記左右方向に揺動自在な状態で当該第１支軸（１３）から吊り下げられている第１指針（１１）と、
前記表示面（６）上において、前記表示面（６）に垂直な第２支軸（１４）を中心として前記左右方向に揺動自在な状態で当該第２支軸（１４）から吊り下げられている第２指針（１２）と、
前記ケース（２）の内部において、前記水平目盛線（８）に平行な第３支軸（２１）を中心として前記表示面（６）の前後方向に揺動自在な状態で当該第３支軸（２１）から吊り下げられている振り子（２２）と、
前記振り子（２２）における揺動中心から前記表示板（３）に向かう方向に延び、前記振り子（２２）が前記前後方向に揺動すると前記表示面（６）の上下方向に揺動する揺動腕（２４）と、
を有し、
前記揺動腕（２４）の先端部（２４ａ）は、前記表示板（３）に形成した貫通穴（３ｅ）から前記表示面（６）の前方に突出して、前記第２指針（１２）における前記第２支軸（１４）から前記左右方向に外れた部位に係合していることを特徴とする垂直度測定器（１）。
【請求項２】
前記ケース（２）は、当該ケース（２）を測定対象の部材（３０）に取り付けるマグネット（４ａ、４ｂ）を備えている請求項１に記載の垂直度測定器（１）。 
【請求項３】
前記第２支軸（１４）は、前記垂直目盛線（７）および前記水平目盛線（８）の交点に位置し、
前記第１支軸（１３）は、前記交点よりも下方の前記垂直目盛線（７）上に位置し、
前記第１指針（１１）の表面には、前記第１支軸（１３）の中心から延びる第１垂直指標線（１５）が形成されており、
前記第２指針（１２）の表面には、前記第２支軸（１４）の中心から、相互に直交する方向に延びる第２垂直指標線（１７）および水平指標線（１６）が形成されており、
前記表示面（６）が左右方向に傾きなく重力方向を向くと前記第１垂直指標線（１５）が前記垂直目盛線（７）に一致し、
前記表示面（６）が前後方向に傾きなく重力方向を向くと、前記第２垂直指標線（１７）が前記垂直目盛線（７）に一致し、前記水平指標線（１６）が前記水平目盛線（８）に一致する請求項１または２に記載の垂直度測定器（１）。
【請求項４】
前記第２指針（１２）は、前記表示面（６）の左右方向に延びる腕部分（１２ａ）と、前記腕部分（１２ａ）の長さ方向の中央部から下方に延びる脚部分（１２ｂ）とを備え、
前記腕部分（１２ａ）の中央部が前記第２支軸（１４）によって支持されており、
前記腕部分（１２ａ）の表面に前記水平指標線（１６）が形成され、
前記脚部分（１２ｂ）の表面に前記第２垂直指標線（１７）が形成されている請求項３に記載の垂直度測定器（１）。
【請求項５】
前記表示面（６）は、前記垂直目盛線（７）および前記水平目盛線（８）を境にして色分けされており、
前記第１指針（１１）は、前記第１垂直指標線（１５）を境に色分けされており、
前記第２指針（１２）は、前記第２垂直指標線（１７）および前記水平指標線（１６）を境に色分けされている請求項４に記載の垂直度測定器（１）。
【発明の詳細な説明】
【技術分野】
【０００１】
本発明は、杭、柱等の部材を地面に立てる際に、その前後左右の垂直度を測定、確認するために用いる垂直度測定器に関する。
【背景技術】
【０００２】
太陽光パネルを屋外に設置する場合、看板施設を屋外に設置する場合等において、それらの杭打ち作業、支柱を建てる作業等においては杭、支柱を傾きの無い状態に設置する必要がある。このために、水準器等の各種の器具が使用されている。このような野立て作業においては、杭、支柱などの垂直度を測定あるいは確認するための器具として、簡単に杭、支柱に取り付けて使用でき、また、携帯に便利なものが要望される。
【０００３】
特許文献１（実開昭５７−１１８３１９号公報）には、アンテナポールの垂直度を測定するために、磁石によって測定対象のアンテナポールに取付け可能な垂直度測定器が提案されている。特許文献２（特開平０８−２１９７８５号公報）には、マグネットによって測定対象のポールに取付け可能であり、直交する方向の傾きを測定できるように２個の水準器を備えた垂直度測定器が提案されている。特許文献３（実開昭５３−１２９９５９号公報）には、直交する方向の傾きを表示する２個の振り子を備え、同一方向から、直交する二方向の傾きを確認できる垂直度測定器が提案されている。
【先行技術文献】
【特許文献】
【０００４】
【特許文献１】実開昭５７−１１８３１９号公報
【特許文献２】特開平０８−２１９７８５号公報
【特許文献３】実開昭５３−１２９９５９号公報
【発明の概要】
【発明が解決しようとする課題】
【０００５】
しかしながら、従来における携帯可能な垂直度測定器においては次のような解決すべき課題がある。特許文献１〜３に開示の測定器では、作業員が離れた位置から表示面を簡単に確認できない。特許文献１では表示面が上方を向いており、作業員は設置されるポールの傍に立って表示面を上から覗く必要がある。特許文献２に開示の測定器では、２つの表示面が側方を向いているが、相互に異なる方向を向いている。したがって、作業員は離れた位置から双方の表示面を同時に確認できない。
【０００６】
特許文献３に開示の測定器では、同一の側から作業員が表示面を確認できる。しかしながら、左右方向の傾きを表示する表示面は横方を向く平面であるが、前後方向の傾きを表示する表示面は円弧面となっている。前方から円弧面を見た場合には、円弧面に沿って上下に移動する指針の位置を簡単に確認できないことがある。また、左右方向の傾きは左右に移動する指針によって表示されるが、前後方向の傾きは円弧面に沿って上下に移動する指針によって表示される。このため、前後方向の垂直度が得られている状態を、表示面を一瞥しただけでは分かりにくい場合がある。
【０００７】
本発明の課題は、このような点に鑑みて、前後左右の傾き状態を同一平面上において表示することができ、前後左右において垂直度が得られたことが表示面を一瞥して直ちに理解できるようにした垂直度測定器を提案することにある。
【課題を解決するための手段】
【０００８】
上記の課題を解決するために、本発明の垂直度測定器は、
ケースと、
前記ケースに取り付けた表示板と、
前記表示板の表示面に形成され、前記表示板の上下方向に延びる垂直目盛線、および、前記垂直目盛線に直交する前記表示板の左右方向に延びる水平目盛線と、
前記表示面上において、前記表示面に垂直な第１支軸を中心として前記左右方向に揺動自在な状態で当該第１支軸から吊り下げられている第１指針と、
前記表示面上において、前記表示面に垂直な第２支軸を中心として前記左右方向に揺動自在な状態で当該第２支軸から吊り下げられている第２指針と、
前記ケースの内部において、前記水平目盛線に平行な第３支軸を中心として前記表示面の前後方向に揺動自在な状態で当該第３支軸から吊り下げられている振り子と、
前記振り子における揺動中心から前記表示板に向かう方向に延び、前記振り子が前記前後方向に揺動すると前記表示板の上下方向に揺動する揺動腕と、
を有し、
前記揺動腕の先端部は、前記表示板に形成した貫通穴から前記表示面の前方に突出して、前記第２指針における前記第２支軸から前記左右方向に外れた部位に係合していることを特徴としている。
【０００９】
本発明の垂直度測定器は、測定対象の部材、例えば杭の側面に取り付けて使用する。杭の中心軸線に垂直目盛線が一致するように垂直度測定器を杭の側面に取り付ける。垂直目盛線に第１指針が一致した状態が、杭の左右方向の垂直度が得られた状態である。また、水平目盛線に第２指針が一致した状態が、杭の前後方向の垂直度が得られた状態である。双方の指針が双方の指標線に一致するように、杭の姿勢を直すことで杭を垂直に打設することができる。
【００１０】
杭の左右方向の傾き、および前後方向の傾きは、同一表示面上に配置した第１、第２指針を同一方向から目視することによって確認できる。よって、杭等の前後左右の垂直度を簡単に知ることができる。
【００１１】
ここで、垂直度測定器を簡単に測定対象の杭、柱の側面に取り付けることができるようにするために、本発明の垂直度測定器の前記ケースに、当該ケースを測定対象の部材に取り付けるマグネットを取り付けておくことが望ましい。
【００１２】
また、本発明の垂直度測定器において、
前記第２支軸は、前記垂直目盛線および前記水平目盛線の交点に位置し、
前記第１支軸は、前記交点よりも下方の前記垂直目盛線上に位置し、
前記第１指針の表面には、前記第１支軸の中心から延びる第１垂直指標線が形成されており、
前記第２指針の表面には、前記第２支軸の中心から相互に直交する方向に延びる第２垂直指標線および水平指標線が形成されており、
前記表示面が左右方向に傾きなく重力方向を向くと前記第１垂直指標線が前記垂直目盛線に一致し、
前記表示面が前後方向に傾きなく重力方向を向くと、前記第２垂直指標線が前記垂直目盛線に一致し、前記水平指標線が前記水平目盛線に一致するように構成することが望ましい。
【００１３】
このように構成すると、測定対象の杭、柱の前後左右の垂直度が得られた場合には、第１指針の第１垂直指標線と第２指針の垂直指標線が一直線上に並ぶ。よって、表示面を一瞥するだけで前後左右の垂直度が得られているか否かを知ることができる。
【００１４】
この場合において、離れた位置からの視認性を高めるためには、前記表示面は、前記垂直目盛線および前記水平目盛線を境にして色分けし、前記第１指針の表面は前記第１垂直指標線を境に色分けし、前記第２指針の表面は前記第２垂直指標線および前記水平指標線を境に色分けしておくことが望ましい。
【図面の簡単な説明】
【００１５】
【図１】本発明を適用した垂直度測定器の正面図である。
【図２】図１の垂直度測定器の前側斜視図である。
【図３】図１の垂直度測定器の後側斜視図である。
【図４】図１の垂直度測定器の縦断面図である。
【図５】（ａ）、（ｂ）は、図１の垂直度測定器の使用状態を示す説明図である。
【図６】（ａ）、（ｂ）は、図１の垂直度測定器の正面図および背面図である。
【図７】（ａ）、（ｂ）は、図１の垂直度測定器の左側面図および右側面図である。
【図８】（ａ）、（ｂ）は、図１の垂直度測定器の平面図および底面図である。
【発明を実施するための形態】
【００１６】
以下に、図面を参照して本発明を適用した垂直度測定器の実施の形態を説明する。図１は本実施の形態に係る垂直度測定器の正面図であり、図２および図３はその前側斜視図および後側斜視図である。図６〜図８は垂直度測定器の６面を示す図である。これらの図を参照して説明すると、垂直度測定器１は、ケース２と、このケース２の前面に取り付けた表示板３と、ケース２の背面に取り付けた２個のマグネット４ａ、４ｂを備えている。
【００１７】
ケース２は、ほぼ正方形の溝形断面となるように折り曲げた所定の高さのものである。ケース２の前方の開口を封鎖する状態に、表示板３がケース２に固定されている。表示板３は、ケース２と高さが同一であるが、ケース２よりも広幅である。マグネット４ａ、４ｂは円盤形状をしており、それらの中心部分を貫通する状態に取り付けた固定用のビス５ａ、５ｂによって、ケース２の背面板２ａに固定されている。マグネット４ａ、４ｂによって、垂直度測定器１が測定対象の杭、柱等の側面に取り付けられる。なお、表示板３の四隅には矩形の貫通穴３ａ〜３ｄが形成されている。測定対象の杭、柱が木等の素材の場合には、貫通穴３ａ〜３ｄに締結バンドなどの締結具を通して、垂直度測定器１を測定対象の杭、柱等に取り付け可能である。
【００１８】
表示板３は平坦な表示面６を備えている。表示面６には垂直目盛線７および水平目盛線８が描かれている。垂直目盛線７は、表示面６の左右方向の中心において、その上下方向の途中位置から表示面６の下辺縁６ａまで延びている。水平目盛線８は、垂直目盛線７の上端から表示板３の左右方向の一方の側辺縁６ｂまで延びている。表示面６の表面色は例えば黒色などの第１の色である。本例では、垂直目盛線７、水平目盛線８、下辺縁６ａおよび側辺縁６ｂで囲まれた矩形の領域が、黄色など、第１の色とは異なる視認しやすい第２の色で塗り潰された色付き領域９となっている。図においては、グレーで表示した部分が色付き領域９である。
【００１９】
表示面６には、板材からなる第１指針１１と第２指針１２が配置されている。第１指針１１は、上下方向に長い長方形輪郭をしており、その下端部は下方に向けて山形状に尖っている。第１指針１１の上端部は、表示面６に対して垂直に固定した第１支軸１３を中心として表示面６の左右方向に揺動自在の状態で、当該第１支軸１３から吊り下げられている。第１支軸１３は、表示面６の垂直目盛線７と水平目盛線８の交点よりも下方における垂直目盛線７上に位置している。
【００２０】
第２指針１２は、左右方向に延びる細長い長方形の腕部分１２ａと、この腕部分の左右方向の中央から下方に突出している脚部分１２ｂを備えた偏平なＴ形状をしている。腕部分１２ａにおける表示面６の側辺縁６ｂの側の端が、山形状に尖った先端部となっている。第２指針１２は、その腕部分１２ａの中央部が、表示面６に対して垂直に固定した第２支軸１４を中心として表示面６の左右方向に揺動自在の状態で、当該第２支軸１４から吊り下げられている。第２支軸１４は、垂直目盛線７と水平目盛線８の交点に位置している。
【００２１】
ここで、第１指針１１の表面には、その第１支軸１３の中心から、当該第１指針１１の長さ方向に直線状に延びる第１垂直指標線１５が描かれている。本例では、第１垂直指標線１５を境にして、表示面６の色付き領域９の側が、当該色付き領域９と同一の第２の色で塗りつぶされており、他方が表示面６の第１の色と同一の色となっている。
【００２２】
第２指針１２の表面には、その腕部分１２ａに、第２支軸１４の中心から先端側に延びる直線状の水平指標線１６が描かれている。また、その脚部分１２ｂには、第２支軸１４の支軸から下方に延びる直線状の第２垂直指標線１７が描かれている。第２指針１２の表面においても、水平指標線１６および第２垂直指標線１７を境にして、表示面６の色付き領域９の側が、同一の第２の色で塗りつぶされており、他方の領域が表示面６の第１の色と同一の色となっている。
【００２３】
次に、図４は垂直度測定器１の縦断面図である。この図から分かるように、ケース２の内部には、その両側のケース側面板２ｂ、２ｃの間に、第３支軸２１が架け渡されている。第３支軸２１は、表示面６に描いた水平目盛線８と同一高さ位置において、当該水平目盛線８と平行に延びている。第３支軸２１には、板状の振り子２２の上端部が表示板３の前後方向に揺動自在の状態で吊り下げられている。振り子２２の下端部分には錘２３が取り付けられている。
【００２４】
振り子２２の上端部には、第３支軸２１の中心から表示板３に向かう前方に向かって直角に折れ曲がって延びる揺動腕２４が一体形成されている。振り子２２が第３支軸２１を中心として前後方向に揺れると、揺動腕２４は、第３支軸２１を中心として上下方向に揺動する。
【００２５】
揺動腕２４の先端部２４ａは、表示板３に形成した貫通穴３ｅから前方に突出している。貫通穴３ｅは、図１に示すように、上下方向に揺動する揺動腕２４の先端部２４ａに干渉しないように、上下方向に長い長穴である。前方に突出している先端部２４ａは、第２指針１２の腕部分１２ａに形成した貫通穴１２ｃに係合している。貫通穴１２ｃは、図１に示すように、腕部分１２ａにおいて、第２支軸１４の中心よりも後端側に外れた部位に形成されている。先端部２４ａは貫通穴１２ｃに対して、左右方向にスライド可能な状態で係合している。揺動腕２４の先端部２４ａが上下方向に揺動すると、これに係合している第２指針１２は第３支軸２１を中心として上下方向に揺動する。
【００２６】
図５（ａ）、（ｂ）は垂直度測定器１の使用状態を示す説明図である。例えば、地面に垂直に杭を打ち込む場合には、杭３０の側面に垂直度測定器１を取り付ける。垂直度測定器１の表示面６の垂直目盛線７が杭３０の中心軸線に一致するように、垂直度測定器１を取り付ける。垂直度測定器１の表示面６を目視し、その第１指針１１および第２指針１２によって、杭３０の左右方向および前後方向の傾きの有無を確認できる。
【００２７】
第１指針１１が表示面６の垂直目盛線７に一致していれば、表示面６の左右方向において杭３０は垂直である。図５（ａ）はこの状態を示してある。第１指針１１の第１垂直指標線１５が表示面６の垂直目盛線７に一致していることで、杭３０の左右方向の傾きが無いことを確認できる。
【００２８】
杭３０が表示面６の前後方向に傾いている場合には、振り子２２の吊り下げ方向に対して、表示面６は前後方向に傾く。従って、振り子２２の揺動腕２４は表示面６に対して上下に傾斜した方向を向く。このため、揺動腕２４の先端部２４ａに係合している第２指針１２は、第２支軸１４を中心として傾き、表示面６の水平目盛線８に対して傾く。すなわち、第２指針１２の水平指標線１６が表示面６の水平目盛線８に対して傾く。また、第２指針１２の第２垂直指標線１７が表示面６の垂直目盛線７に対して傾く。図５（ａ）はこの状態を示してある。これらが一致するように杭３０の前後方向の向きを調整することで、杭３０の前後方向の傾きを無くすことができる。
【００２９】
図５（ｂ）に示すように、前後左右方向の垂直度が得られた状態では、第１指針１１と第２指針１２は表示面６上において直角に交差する。したがって、表示面６を一瞥するだけで、杭等の垂直度が得られたか否かを知ることができる。
【符号の説明】
【００３０】
１  垂直度測定器、２  ケース、２ａ  背面板、２ｂ、２ｃ  側面板、３  表示板、３ａ〜３ｄ  貫通穴、３ｅ  貫通穴、４ａ，４ｂ  マグネット、５ａ，５ｂ  ビス、６  表示面、６ａ  下辺縁、６ｂ  側辺縁、７  垂直目盛線、８  水平目盛線、
１１  第１指針、１２  第２指針、１２ａ  腕部分、１２ｂ  脚部分、１２ｃ  貫通穴、１３  第１支軸、１４  第２支軸、１５  第１垂直指標線、１６  水平指標線、１７  第２垂直指標線、
２１  第３支軸、２２  振り子、２３  錘、２４  揺動腕、２４ａ  先端部、
３０  杭
【図３】
2014215054.tif 000003
【図４】
2014215054.tif 000004
【図７】
2014215054.tif 000005
【図８】
2014215054.tif 000006
【図１】
2014215054.tif 000007
【図２】
2014215054.tif 000008
【図５】
2014215054.tif 000009
【図６】
2014215054.tif 000010